(57)【要約】【課題】電子眼鏡を頭部に装着していない状態では電源が必ず切れる電子眼鏡を提供する。【解決手段】テンプル１０３と、モダン１０５と、電源１１８と、電源１１８から給電されて機能する機能部としての可変焦点レンズ１０１とを備えた電子眼鏡１００において、モダン１０５が、テンプル１０３に対して、電子眼鏡１００を装着するに適した眼鏡装着姿勢と、装着するに適さない眼鏡非装着姿勢とにわたって摺動自在に配設され、モダン１０５に外力が加わらないときにモダン１０５を前記眼鏡非装着姿勢側に移動させる復元機構を備えた。これにより、装着していない状態では電源１１８が必ず切れ、無駄に電力を消費することを無くすことができる。【選択図】図１
2010262121.tif 000002
【特許請求の範囲】
【請求項１】
テンプルと、モダンと、電源と、電源から給電されて機能する機能部とを備えた電子眼鏡であって、
前記モダンが、前記テンプルに対して、当該電子眼鏡を装着するに適した眼鏡装着姿勢と、当該電子眼鏡を装着するに適さない眼鏡非装着姿勢とにわたって摺動自在に配設され、
前記モダンに外力が加わらないときに前記モダンを前記眼鏡非装着姿勢側に移動させる復元機構と、前記モダンの姿勢を検出する姿勢検出手段と、前記モダンが眼鏡装着姿勢となった場合に電源をＯＮ状態とし、前記モダンが眼鏡非装着姿勢となった場合に電源をＯＦＦ状態とする電源切換手段とを有する電子眼鏡。
【請求項２】
前記復元機構が、前記テンプルと前記モダンとを結合するばねにより構成されている請求項１に記載の電子眼鏡。
【請求項３】
前記復元機構が、前記テンプルと前記モダンとを結合する引っ張りコイルばねにより構成されている請求項１に記載の電子眼鏡。
【請求項４】
前記復元機構は、前記モダンに設けられた第１の帯磁素子と、前記テンプルに設けられた第２の帯磁素子とにより構成されており、前記第１の帯磁素子と前記第２の帯磁素子との互いに対向する面の磁極は同種である請求項１に記載の電子眼鏡。
【請求項５】
前記復元機構は、前記モダンに設けられた第１の永久磁石と、前記テンプルに設けられた第２の永久磁石とにより構成されており、前記第１の永久磁石と前記第２の永久磁石との互いに対向する面の磁極は同種である請求項１に記載の電子眼鏡。
【請求項６】
テンプルと、モダンと、電源と、電源から給電されて機能する機能部とを備えた電子眼鏡であって、
前記モダンが、第１のモダンと第２のモダンとから構成され、
回転軸を介して、前記第１のモダンと第２のモダンとの少なくとも一方が、当該電子眼鏡を装着するに適した眼鏡装着姿勢と、当該電子眼鏡を装着するに適さない眼鏡非装着姿勢とにわたって回動自在に配設され、
前記第２のモダンに外力が加わらないときに、前記回転軸を中心に前記第１のモダンと前記第２のモダンとを引き離して前記眼鏡非装着姿勢に復元する復元機構と、前記モダンの姿勢を検出する姿勢検出手段と、前記モダンが眼鏡装着姿勢となった場合に電源をＯＮ状態とし、前記モダンが眼鏡非装着姿勢となった場合に電源をＯＦＦ状態とする電源切換手段とが設けられた電子眼鏡。
【請求項７】
前記復元機構が、前記第１のモダンと前記第２のモダンを結合するばねにより構成されている請求項６に記載の電子眼鏡。
【請求項８】
前記復元機構が、前記第１のモダンと前記第２のモダンを結合するねじりコイルばねにより構成されている請求項６に記載の電子眼鏡。
【請求項９】
前記復元機構は、前記第１のモダンに設けられた第１の帯磁素子と、前記第２のモダンに設けられた第２の帯磁素子とから構成されており、前記第１の帯磁素子と前記第２の帯磁素子との互いに対向する面の磁極は異種である請求項６に記載の電子眼鏡。
【請求項１０】
前記復元機構は、前記第１のモダンに設けられた第１の永久磁石と、前記第２のモダンに設けられた第２の永久磁石とから構成されており、前記第１の永久磁石と前記第２の永久磁石との互いに対向する面の磁極は異種である請求項６に記載の電子眼鏡。
【請求項１１】
前記回転軸が、前記第１のモダンと前記テンプルとの境界付近に配設されている請求項６に記載の電子眼鏡。
【請求項１２】
前記回転軸が、前記第１のモダンの前記テンプルと接する側とは逆の先端部付近に配設されている請求項６に記載の電子眼鏡。
【請求項１３】
テンプルと、モダンと、電源と、電源から給電されて機能する機能部とを備えた電子眼鏡であって、
前記モダンが、第１のモダンと、この第１のモダンに接続された第２のモダンとから構成され、
前記第２のモダンが、当該電子眼鏡を装着するに適した眼鏡装着姿勢と、当該電子眼鏡を装着するに適さない眼鏡非装着姿勢とにわたって変形自在の形状記憶合金から構成され、
前記第２のモダンの姿勢を検出する姿勢検出手段と、前記モダンが眼鏡装着姿勢となった場合に電源をＯＮ状態とし、前記モダンが眼鏡非装着姿勢となった場合に電源をＯＦＦ状態とする電源切換手段とが設けられた電子眼鏡。
【請求項１４】
前記第１のモダンと前記第２のモダンとの接続部が、前記第１のモダンと前記テンプルとの境界付近に配設されている請求項１３に記載の電子眼鏡。
【請求項１５】
前記第１のモダンと前記第２のモダンとの接続部が、前記第１のモダンの前記テンプルと接する側とは逆の先端部付近に配設されている請求項１３に記載の電子眼鏡。
【発明の詳細な説明】
【技術分野】
【０００１】
本発明は、電気的に機能制御を行う電子眼鏡に関し、より詳細には電子眼鏡の電源のオンオフ機構に関する。
【背景技術】
【０００２】
眼鏡に電源を配置し、電源から給電することで様々な機能を発揮する機能部を有する電子眼鏡が提案されている。この種の機能部の例としては、可変焦点レンズや頭部装着型映像表示装置などがある。可変焦点レンズは、電気的に焦点距離を可変させる電子眼鏡として、レンズの中に液晶などの誘電体材料を封入し、これに電圧をかけて誘電率を変化させることで屈折率を制御するよう構成されている。（例えば、特許文献１参照）。
【０００３】
このような電子眼鏡の電源スイッチとして、図１０に示すように、頭部装着型映像表示装置７１において、中空部を有する第１のテンプル７４ａと、この第１のテンプル７４ａの中空部に摺動により延出、収納自在に配置された第２のテンプル７４ｂと、この第２のテンプル７４ｂの摺動状態を検知するテンプル状態検出部７３とを備えた方式が提案されている（例えば、特許文献２参照）。
【先行技術文献】
【特許文献】
【０００４】
【特許文献１】特開平１１−３５２４４５号公報
【特許文献２】特開平１１−７５１４１号公報（第３０頁、図９〜図１２）
【発明の概要】
【発明が解決しようとする課題】
【０００５】
しかしながら、前記従来の電子眼鏡の構成では、電子眼鏡の使用者が電子眼鏡を頭部に装着していない状態でテンプルを伸ばすと電源オンとなり、無駄に電力を消費するという課題を有していた。
【０００６】
本発明は、前記従来の課題を解決するもので、電子眼鏡を頭部に装着していない状態では電源が必ず切れる電子眼鏡を提供することを目的とする。
【課題を解決するための手段】
【０００７】
前記従来の課題を解決するために、本発明の電子眼鏡は、テンプルと、モダンと、電源と、電源から給電されて機能する機能部とを備えた電子眼鏡であって、前記モダンが、前記テンプルに対して、当該電子眼鏡を装着するに適した眼鏡装着姿勢と、当該電子眼鏡を装着するに適さない眼鏡非装着姿勢とにわたって摺動自在に配設され、前記モダンに外力が加わらないときに前記モダンを前記眼鏡非装着姿勢側に移動させる復元機構と、前記モダンの姿勢を検出する姿勢検出手段と、前記モダンが眼鏡装着姿勢となった場合に電源をＯＮ状態とし、前記モダンが眼鏡非装着姿勢となった場合に電源をＯＦＦ状態とする電源切換手段とを有することを特徴としたものである。
【発明の効果】
【０００８】
本発明の電子眼鏡によれば、電子眼鏡を頭部に装着していない状態では、復元機構により電子眼鏡が眼鏡非装着姿勢となって、電源が必ず切れるので、電源の切り忘れが無くなり、電力を無駄に消費することを無くすことができる。
【図面の簡単な説明】
【０００９】
【図１】本発明の実施の形態１における電子眼鏡の構成を示す側面図で、（ａ）は眼鏡非装着姿勢の状態、（ｂ）は眼鏡装着姿勢の状態
【図２】同実施の形態１における電子眼鏡の、外部から力がかかっていない眼鏡非装着姿勢の状態のテンプルおよびモダンの内部を示す構造を示し、（ａ）は平面断面図、（ｂ）は要部拡大平面断面図、（ｃ）は側面断面図
【図３】同実施の形態１における電子眼鏡の、外力がかかっている眼鏡装着姿勢の状態のテンプルおよびモダンの内部を示す構造を示し、（ａ）は平面断面図、（ｂ）は側面断面図
【図４】本発明の第２の実施の形態における電子眼鏡のテンプルとモダンの内部構成を示す図で、（ａ）は、外部から力がかかっていない眼鏡非装着姿勢の状態の平面断面図、（ｂ）は外部から力がかかっていない眼鏡非装着姿勢の状態の側面断面図
【図５】本発明の第３の実施の形態における電子眼鏡の構成を示す側面図で、（ａ）は外部から力がかかっていない眼鏡非装着姿勢の状態、（ｂ）は外部から力がかかっている眼鏡装着姿勢の状態
【図６】同第３の実施の形態における電子眼鏡の、互いに回動する第１のモダンと第２のモダンとの内部構成について示す図で、（ａ）は第２のモダンに外部から力がかかっていない眼鏡非装着姿勢の状態の平面断面図、（ｂ）は同要部拡大平面断面図、（ｃ）は第２のモダンに外部から力がかかっている、眼鏡装着姿勢の状態の平面断面図
【図７】本発明の実施の形態４における電子眼鏡の構成を示す側面図で、（ａ）は眼鏡非装着姿勢の状態、（ｂ）は眼鏡装着姿勢の状態
【図８】本発明の実施の形態５における電子眼鏡の構成を示す側面図で、（ａ）は眼鏡非装着姿勢の状態、（ｂ）は眼鏡装着姿勢の状態
【図９】本発明の実施の形態６における電子眼鏡の構成を示す側面図で、（ａ）は眼鏡非装着姿勢の状態、（ｂ）は眼鏡装着姿勢の状態
【図１０】従来の頭部装着型映像表示装置を示す斜視図
【発明を実施するための形態】
【００１０】
以下に、本発明の電子眼鏡の実施の形態を図面とともに詳細に説明する。
（実施の形態１）
図１は本発明の第１の実施の形態における電子眼鏡１００の構成を示したものであり、図１（ａ）は、眼鏡非装着姿勢の状態（外部から力がかかっていない状態）を示し、図１（ｂ）は眼鏡装着姿勢の状態（外部から力がかかっている状態）を示したものである。
【００１１】
図１における１００は電子眼鏡で、この電子眼鏡１００は、フレーム１０２と、テンプル１０３と、モダン１０５と、電源１１８と、電源１１８から給電されて機能する機能部としての可変焦点レンズ１０１と、前記モダンの姿勢を検出する姿勢検出手段（場合によっては、電源をＯＮ・ＯＦＦする電源切換手段としても機能する）としての検出部１０８（図２参照）などを備えている。この実施の形態では、テンプル１０３に、電源１１８と、モダン１０５の姿勢を検出して可変焦点レンズ１０１の電気的な制御を行う検出部１０８とが組み込まれている。
【００１２】
ここで、モダン１０５はテンプル１０３に対して摺動できるよう取り付けられている。そして、使用者が電子眼鏡１００を頭部に装着すると、図１（ａ）に示す眼鏡非装着姿勢の状態から、図１（ｂ）に示す眼鏡装着姿勢（眼鏡装着姿勢：鼻バッド(図示せず)が使用者の鼻の上に載せられるとともに、モダン１０５の後部が使用者の耳に掛けられて、相対的に、モダン１０５がテンプル１０３から後方に移動された状態）の状態に変化する。本発明では、この姿勢の変化を、検出部（姿勢検出手段）１０８により検知することで電源１１８のＯＮ／ＯＦＦを行う。なお、図１（ａ）、（ｂ）におけるＡは、テンプル１０３とモダン１０５との、眼鏡非装着姿勢から眼鏡装着姿勢への伸縮（摺動）寸法である。
【００１３】
次に、互いに摺動するテンプル１０３とモダン１０５との内部構成について図２、図３を用いて説明する。図２は外部から力がかかっていない眼鏡非装着姿勢の状態のテンプルおよびモダンの内部を示す構造を示したものであり、図２（ａ）は平面断面図、図２（ｂ）は要部拡大平面断面図、図２（ｃ）は側面断面図を示す。図３は外力がかかっている眼鏡装着姿勢の状態のテンプルおよびモダンの内部を示す構造を示したものであり、図３（ａ）は平面断面図、図３（ｂ）は側面断面図を示す。
【００１４】
図２、図３に示すように、モダン１０５には中空部１１９が形成されており、その一端には開口部１２０が形成され、この開口部１２０から中空部１１９に向けてテンプル１０３が挿入されている。なお、モダン１０５がテンプル１０３から外れないようにテンプル１０３の先端の幅はモダン１０５の開口部１２０の幅より広い。このモダン１０５の中空部１１９におけるテンプル１０３の先端には、電子眼鏡１００の姿勢に応じた電気的な検出を行う検出部１０８が設置されている。なお、この検出部１０８には電極など他の構成部材が存在するがそれらについては後述する。
【００１５】
前述したようにモダン１０５の中空部１１９に挿入されたテンプル１０３は、その中空部１１９内の端部が、中空部１１９内に配設された復元機構としての引っ張りコイルばね１１１の一端部に接続されている。また、引っ張りコイルばね１１１の他端部は、モダン１０５における開口部１２０を有する壁面に対向する中空部壁面１０６に接続されている。そして、このように配設された引っ張りコイルばね１１１により、テンプル１０３が、モダン１０５の中空部１１９内に引き込まれる方向に付勢されている。なお、中空部１１９には、テンプル１０３の先端の検出部１０８の摺動範囲を規制するストッパー１１０ｃ、１１０ｄが、引っ張りコイルばね１１１の通過は許容する姿勢で、突出されており、これらのストッパー１１０ｃ、１１０ｄにより、引っ張りコイルばね１１１が戻り過ぎないように図られている。
【００１６】
このように構成したことにより、眼鏡非装着姿勢の状態、すなわちテンプル１０３とモダン１０５とに外力が加わらない状態では、図２に示すように、引っ張りコイルばね１１１が最も縮んだ状態を維持する。一方、眼鏡装着姿勢の状態、すなわち、電子眼鏡を使用者が装着してテンプル１０３とモダン１０５とが引き離される方向に外力が加わった場合は、図３に示すように、引っ張りコイルばね１１１が最も伸びた状態となる。
【００１７】
さらに詳しくモダン１０５の中空部１１９について説明する。中空部１１９には、前述したように、テンプル１０３に対して変化するモダン１０５の姿勢（状態）の違いを検出する検出部１０８が設置されている。検出部１０８の一つの面には対となる電極１０７ａ、１０７ｂが形成されている。ここでは、検出部１０８におけるモダン１０５の開口部１２０に対向する面に、電極１０７ａ、１０７ｂを形成する形とした場合を図示している。さらに電極１０７ａ、１０７ｂが形成されていない面（図２（ａ）、（ｂ）においては、上面部分と手前側の面の部分と）に凸部１０９ａ、１０９ｂが構成されている。
【００１８】
一方、モダン１０５における中空部内壁の開口部１２０を有する面には凸状の導電性部材からなる導通電極１１０ａ、１１０ｂが設置されている。また、モダン１０５における摺動方向に平行な中空部側壁面には、前述した凸部１０９ｂの移動時のガイドの役割を果たすガイド溝１１２がモダン１０５の摺動方向に略Ｔ字状に形成されている。
【００１９】
さらに、モダン１０５における摺動方向に平行な他の中空部側壁面には、前述した凸部１０９ａを保持するための凹部１１３が眼鏡装着姿勢の状態にて凸部１０９ａと嵌合する位置に形成されている。凸部１０９ａと凹部１１３とは、電子眼鏡が眼鏡装着姿勢の状態において、引っ張りコイルばね１１１により眼鏡非装着姿勢側に戻ろうとする力を弱めるための構造である。凸部１０９ａの形状は半球状とされ、また凹部１１３の形状も凸部１０９ａが嵌合するように同様に半球状とされている。半球状にすることで、凸部１０９ａが凹部１１３に入りやすくなり、眼鏡装着姿勢の状態では外れ難い。また、眼鏡非装着姿勢の状態では凸部１０９ａが凹部１１３から抜けやすい形状である。
【００２０】
なお、前述した電極１０７ａ、１０７ｂおよび導通電極１１０ａ、１１０ｂの位置関係は、眼鏡装着姿勢において電極１０７ａと電極１０７ｂとが導通電極１１０ａ、１１０ｂと接触して電気的に接続されるように設置されている。以上のように電子眼鏡１００のテンプル１０３およびモダン１０５を構成する。
【００２１】
次に、実施の形態１における動作および作用について説明する。はじめに、眼鏡非装着姿勢に関して述べる。電子眼鏡が眼鏡非装着姿勢の状態、すなわちテンプル１０３とモダン１０５とに外力が加わらない状態では図２に示すように引っ張りコイルばね１１１が縮んだ状態となる。この時、可変焦点レンズ１０１には電源１１８から電力が供給されていない電源ＯＦＦの状態となる。
【００２２】
次に、眼鏡非装着姿勢から眼鏡装着姿勢への機構的な変化について述べる。眼鏡装着者がモダン１０５を可変焦点レンズ１０１から離反する方向に摺動させ、頭部に装着することで眼鏡非装着姿勢の状態から図３に示す眼鏡装着姿勢の状態に変化する。
【００２３】
この時、モダン１０５はガイド溝１１２にテンプル１０３の凸部１０９ａが案内されて、可変焦点レンズ１０１から離反する方向に摺動する。そして、電極１０７ａと電極１０７ｂとが導通電極１１０ａ、１１０ｂと接触する。そして、接触した状態でモダン１０５に図３（ａ）の矢印Ｂ方向に力が加わる（頭部装着により、モダン１０５が広がり矢印Ｂ方向に力が加わる）と、略Ｔ字状のガイド溝１１２に沿ってテンプル１０３の凸部１０９ａがモダン１０５の凹部１１３に入る。このような機構により眼鏡装着状態では、引っ張りコイルばね１１１による眼鏡非装着姿勢に戻ろうとする引っ張り力を軽減することができるとともに、導通電極１１０ａ、１１０ｂと電極１０７ａと電極１０７ｂとの接触を維持することができる。
【００２４】
次に、この時の電気的変化について述べる。これらの導通電極１１０ａ、１１０ｂおよび電極１０７ａ、１０７ｂは、電極１０７ａと電極１０７ｂとが導通すること（または、導通電極１１０ａと導通電極１１０ｂとが導通すること）により可変焦点レンズ１０１に電源１１８から電力が供給されるスイッチとなっており、この時、電源１１８から電力が可変焦点レンズ１０１に供給される。
【００２５】
このように、図３に示すようなモダン１０５が伸びた状態では、電極１０７ａと電極１０７ｂとが導通電極１１０ａ、１１０ｂと接触して、電気的に接続している状態が維持されるため、眼鏡装着状態では電源１１８のＯＮ状態が維持される。
【００２６】
次に、眼鏡装着姿勢の状態から眼鏡非装着姿勢の状態への機構的な変化について述べる。眼鏡装着者が眼鏡を外すことで引っ張りコイルばね１１１により電子眼鏡１００が眼鏡装着姿勢から眼鏡非装着姿勢に摺動して変化する。さらに詳しく説明すると、眼鏡装着者が電子眼鏡１００を外すことで矢印Ｂ方向の力が無くなり、テンプル１０３の凸部１０９ａがモダン１０５の凹部１１３から外れる。そして、引っ張りばね１１１の収縮しようとする力により、モダン１０５はモダン１０５のガイド溝１１２とテンプル１０３の凸部１０９ａとに沿って、可変焦点レンズ１０１に接近する方向に摺動して、眼鏡非装着姿勢になる。
【００２７】
次に、この時の電気的変化について述べる。電子眼鏡１００が眼鏡装着姿勢から眼鏡非装着姿勢に変化したときは、電極１０７ａと電極１０７ｂとの導通が切断されるため、可変焦点レンズ１０１に電源１１８からの電力供給が停止されて電源１１８がＯＦＦ状態になる。
【００２８】
以上のように、実施の形態１においては、モダン１０５をテンプル１０３に対して摺動する機構と、引っ張りコイルばね１１１によりテンプル１０３とモダン１０５とを接続する機構とを組み合わせたことで、電子眼鏡１００を装着して眼鏡非装着姿勢から眼鏡装着姿勢に変化するときに、可変焦点レンズ１０１の電源が入り、電子眼鏡１００を外して眼鏡装着姿勢から眼鏡非装着姿勢に変化するときに自動的に電源が切れる。よって、電子眼鏡１００の使用者は電子眼鏡１００の電源の切り忘れが無くなり、この結果、電力を無駄に消費することを無くすことができる。
【００２９】
なお、上記実施の形態では、検出部１０８（導通電極１１０ａ、１１０ｂを含む）により、直接電源をＯＮ・ＯＦＦするよう構成した場合を述べ、この場合には、検出部１０８が、モダン１０５の姿勢を検出する姿勢検出手段と、電源１１８をＯＮ・ＯＦＦする電源切換手段とを兼用しているが、これに限るものではなく、これに代えて、検出部１０８（導通電極１１０ａ、１１０ｂを含む）の信号に基づいて、別途に配設した図示しない制御部により、電源１１８をＯＮ・ＯＦＦするよう構成してもよく、この場合には、検出部１０８がモダン１０５の姿勢を検出する姿勢検出手段として機能し、前記制御部が、電源をＯＮ・ＯＦＦする電源切換手段として機能する。
【００３０】
（実施の形態２）
図４は本発明の第２の実施の形態における図示しない電子眼鏡のテンプルとモダンとの内部構成を示す図で、図４（ａ）は、外部から力がかかっていない眼鏡非装着姿勢の状態の平面断面図、図４（ｂ）は外部から力がかかっていない眼鏡非装着姿勢の状態の側面断面図である。ここで、実施の形態１と同様の構成要素は同符号を付してその説明は省略する。
【００３１】
実施の形態１の構成と異なるところは、実施の形態１では、モダン１０５とテンプル１０３とを復元機構としての引っ張りコイルばね１１１により接続して復元力を与えた（付勢した）が、この代わりに、実施の形態２では、テンプル１０３の中空部における一端の任意の部位に帯磁素子である永久磁石２１４ａを設け、モダン１０５における開口部１２０を有する壁面に対向する中空部壁面に永久磁石２１４ｂを設けてこれらにより復元機構を構成した点である。
【００３２】
ここで、永久磁石２１４ａと永久磁石２１４ｂとの互いに対向する面の磁極は異種であり、Ｓ極とＮ極とが対面しているためテンプル１０３とモダン１０５とが互いに引き合う力が与えられるように構成されている。
【００３３】
以上のように、帯磁素子を用いることで、実施の形態１の引っ張りコイルばね１１１を用いた場合と同様な効果が発生して、電子眼鏡の使用者による電子眼鏡の電源の切り忘れが無くなり、電力を無駄に消費することを無くすことができる。
【００３４】
また、帯磁素子を用いることで、引っ張りコイル１１１ばねを用いるときに生じていた、ばねの収納スペースを無くすことができるので、モダン１０５の省スペース化が可能になる。
【００３５】
（実施の形態３）
図５は本発明の第３の実施の形態における電子眼鏡３００の構成を示し、図５（ａ）は、外部から力がかかっていない眼鏡非装着姿勢の状態を示し、図５（ｂ）は外部から力がかかっている眼鏡装着姿勢の状態を示したものである。
【００３６】
図５における３００は電子眼鏡で、この電子眼鏡３００は、可変焦点レンズ３０１、フレーム３０２、テンプル３０３、第１のモダン３０４、第２のモダン３０５などから構成されている。テンプル３０３には、可変焦点レンズ３０１の電源３１８が組み込まれている。第１のモダン３０４には、後述するように第２のモダン３０５の姿勢を検出するとともに可変焦点レンズ３０１の電気的な制御を行う、ここでは図示しない検出部３０８が組み込まれている。ここで、第２のモダン３０５は第１のモダン３０４に対して後述するように、回動できるよう取り付けられており、図５（ａ）に示す眼鏡非装着姿勢から図５（ｂ）に示す眼鏡装着姿勢に回動して変化することができる。
【００３７】
次に、回動する第１のモダン３０４と第２のモダン３０５との内部構成について図６を用いて説明する。図６（ａ）および（ｂ）は本発明の第３の実施の形態における第２のモダン３０５に外部から力がかかっていない眼鏡非装着姿勢の状態の内部構造の平面断面図および要部拡大平面断面図を示す。図６（ｃ）は本発明の第３の実施の形態における第２のモダン３０５に外部から力がかかっている、眼鏡装着姿勢の状態の内部構造の平面断面図を示す。
【００３８】
第１のモダン３０４の内部には、電子眼鏡３００の姿勢、詳しくは第２のモダン３０５の姿勢を検出して電子眼鏡３００の電気的な制御を行う検出部３０８が設置されている。なお、この検出部３０８には電極など他の構成部材が存在するがそれらについては後述する。
【００３９】
第１のモダン３０４と第２のモダン３０５とはネジ等の回転軸３１６を中心として互いに自由に回動できるように取り付けられている。その回転軸３１６は第１のモダン３０４におけるテンプル３０３との境界部付近に配設されている。また、回転軸３１６には、復元機構としてのねじりコイルばね３１５が取り付けられており、ねじりコイルばね３１５の２つの腕は、それぞれ第１のモダン３０４と第２のモダン３０５とに係止されている。そして、ねじりコイルばね３１５は第２のモダン３０５が第１のモダン３０４に対して下方に回動して重ならない眼鏡非装着姿勢が、外力が加わっていない自然の姿勢となるよう取り付けられている。
【００４０】
このように第１のモダン３０４と第２のモダン３０５とを構成することにより、眼鏡非装着姿勢となっている状態、すなわち第１のモダン３０４と第２のモダン３０５とに外力が加わらない状態では、図６（ａ）に示すように、第２のモダン３０５が第１のモダン３０４に対して回動して重ならない状態を維持することとなる。一方、第２のモダン３０５が第１のモダン３０４に対し、夫々が接近する方向に外力が加わった場合は、図６（ｃ）に示すように、第１のモダン３０４と第２のモダン３０５とが接触して重なり合う眼鏡装着姿勢となる。
【００４１】
さらに詳しく構成を説明すると、第１のモダン３０４の内部に設置される検出部３０８の第２のモダン３０５と接する面には、対となる電極３０７ａ、３０７ｂが形成されている。一方、第２のモダン３０５の第１のモダンの電極３０７ａ、３０７ｂが接する面には導電性部材からなる導通電極３１０が設置されている。
【００４２】
なお、第１のモダン３０４の電極３０７ａ、３０７ｂと第２のモダン３０５の導通電極３１０との位置関係は、第１のモダン３０４と第２のモダン３０５とが接触し重なり合った眼鏡装着姿勢のときに、電極３０７ａ、３０７ｂと導通電極３１０とが接触して電源１１８が電気的に接続されるように設置されている。
【００４３】
以上のように電子眼鏡３００の第１のモダン３０４と第２のモダン３０５となどが構成されている。
次に、実施の形態３における動作および作用について説明する。
【００４４】
はじめに、眼鏡非装着姿勢について述べる。眼鏡非装着姿勢の状態、つまり第１のモダン３０４と第２のモダン３０５とに外力が加わらない状態では、図６（ａ）に示すように、第２のモダン３０５が第１のモダン３０４と重ならない姿勢となり、電極３０７ａと電極３０７ｂとは導通電極３１０に接触せず、電気的に接続されることはない。この時、可変焦点レンズ３０１は、電源３１８から電力が供給されていない電源ＯＦＦの状態となる。
【００４５】
次に、眼鏡非装着姿勢から眼鏡装着姿勢に変化するときについて述べる。眼鏡装着者が第２のモダン３０５を頭部に装着することで、第１のモダン３０４に重なる方向（上方）に回動し、図６（ｃ）に示すように、電子眼鏡３００が眼鏡装着姿勢に変化する。さらに詳しく説明すると、第２のモダン３０５は回転軸３１６を中心に第１のモダン３０４と接触して重なる方向に回動し、電極３０７ａと電極３０７ｂとが導通電極３１０と接触する。
【００４６】
次に、眼鏡装着姿勢状態の場合について述べる。電子眼鏡が眼鏡装着姿勢の状態、すなわち第２のモダン３０５に外部から力がかかっている状態では、図６（ｃ）に示すように、第２のモダン３０５が第１のモダン３０４と重なり合う状態となり、電極３０７ａと電極３０７ｂとが導通電極３１０と接触して電気的に接続されることは前述した。
【００４７】
検出部３０８は電極３０７ａと電極３０７ｂとが導通することを検出し、これにより可変焦点レンズ３０１に電源３１８から電力が供給されて電源ＯＮになる構成である。電極３０７ａと電極３０７ｂとが導通することにより、可変焦点レンズ３０１に電源３１８から電力が供給される検出部３０８のスイッチがＯＮとなるように構成されており、この時、電源３１８から電力が可変焦点レンズ３０１に供給される。
【００４８】
そのため、図６（ｃ）に示す状態では、電極３０７ａと電極３０７ｂとが導通電極３１０と接触して電気的に接続している状態が維持されるため、眼鏡装着姿勢である状態では電源ＯＮの状態が維持される。
【００４９】
次に、眼鏡装着姿勢から眼鏡非装着姿勢に変化するときについて述べる。眼鏡装着者が電子眼鏡３００を外すことでねじりコイルばね３１５により第２のモダン３０５が自動的に眼鏡装着姿勢から眼鏡非装着姿勢に回動して変化する。眼鏡装着姿勢から眼鏡非装着姿勢に変化したことを、電極３０７ａと電極３０７ｂとの非導通により検知部３０８が検知し、これにより可変焦点レンズ３０１に電源３１８からの電力供給が停止されて電源オフの状態になる。
【００５０】
以上のように、実施の形態３においては、第２のモダン３０５が第１のモダン３０４に対して回動するように構成したことと、ねじりコイルばね３１５により第１のモダン３０４と第２のモダン３０５とが互いに離れる状態に付勢するように構成したこととで、電子眼鏡３００の使用者が電子眼鏡３００を使用するときに、電子眼鏡３００を頭部に装着して眼鏡非装着姿勢から眼鏡装着姿勢になって、第２のモダン３０５が第１のモダン３０４に重なって可変焦点レンズ３０１の電源が入る。また、眼鏡装着者が電子眼鏡３００の使用をやめて頭部から外すと、ねじりコイルばね３１５の力により第２のモダン３０５が自動的に眼鏡非装着姿勢となり電源１１８が切れる。よって、電子眼鏡３００の使用者が電子眼鏡３００の電源１１８の切り忘れをすることが無くなり、電力を無駄に消費することを無くすことができる。
【００５１】
（実施の形態４）
図７は本発明の第４の実施の形態における電子眼鏡４００の構成を示したものであり、図７（ａ）は、外部から力がかかっていない眼鏡非装着姿勢である状態を示し、図７（ｂ）は外部から力がかかっている眼鏡装着姿勢である状態を示したものである。実施の形態３と同様の構成要素は同符号を付与し、その説明は省略する。
【００５２】
実施の形態３の構成と異なるところは、第２のモダン３０５の第１のモダン３０４に対する回転軸３１６を、テンプル３０３との境界付近に配置する代わりに、テンプル３０３と接する側とは逆の先端部付近に配置したことである。また、電極３０７ａと電極３０７ｂと導通電極３１０とを、テンプル３０３と接する側と逆の先端部付近に配置する代わりに、テンプル３０３との境界付近に配置したことである。この構成によっても、前記第３の実施の形態と同様な作用効果を得ることができる。
【００５３】
（実施の形態５）
図８は本発明の第５の実施の形態における電子眼鏡５００の構成を示したものであり、図８（ａ）は、外部から力がかかっていない眼鏡非装着姿勢の状態を示し、図８（ｂ）は外部から力がかかっている眼鏡装着姿勢の状態を示したものである。実施の形態３と同様の構成要素は同符号を付与して、その説明は省略する。
【００５４】
実施の形態３の構成と異なるところは、第２のモダン３０５の第１のモダンに対する回転軸３１６に配置されたねじりコイルばねを無くし、その代わりに、復元機構として、帯磁素子である永久磁石５１４ａと永久磁石５１４ｂとを、電極３０７ａ、３０７ｂと導通電極３１０との付近に対面するように配置したことである。
【００５５】
永久磁石５１４ａと永久磁石５１４ｂとの互いに対向する面の磁極は同種であり、Ｓ極とＳ極、もしくはＮ極とＮ極とが対面しているため、第１のモダン３０４と第２のモダン３０５とが互いに反発するように構成されている。
【００５６】
以上のように、帯磁素子を用いることで、実施の形態３のねじりコイルばね３１５を用いた場合と同様な効果が発生して、電子眼鏡５００の使用者は電子眼鏡５００の電源１１８の切り忘れが無くなり電力を無駄に消費することを無くすことができる。
【００５７】
本実施の形態では、第１のモダン３０４と第２のモダン３０５との接続部をテンプル３０３との境界付近としたが、これに限るものではなく、前記接続部を第１のモダン３０４のテンプル３０３と接する側とは逆の先端部付近に有していてもよい。
【００５８】
（実施の形態６）
図９は本発明の第６の実施の形態における電子眼鏡６００の構成を示したものであり、図９（ａ）は、外部から力がかかっていない眼鏡非装着姿勢の状態を示し、図９（ｂ）は外部から力がかかっている眼鏡装着姿勢の状態を示したものである。実施の形態３と同様の構成要素は同符号を付与して、その説明は省略する。
【００５９】
実施の形態３の構成と異なるところは、第２のモダン６０５が超弾力性（極めて大きな弾力性）を有する形状記憶合金（Ｎｉ−Ｔｉ合金）で構成されており、第１のモダン３０４の下側面と接するようにテンプル３０３との境界付近で接続されている。第１のモダン３０４と第２のモダン６０５の接する面には、第１のモダン３０４側に電極部３０７ａ、３０７ｂが配設され、第２のモダン６０５側に導通電極３１０が、電極部３０７ａ、３０７ｂに対面するよう配置されている。
【００６０】
図９（ａ）に示すように、外部から力がかかっておらず、装着していないので人からの熱が与えられていない眼鏡非装着姿勢の状態では、電極部３０７ａ、３０７ｂと導通電極３１０とが接しないように、第２のモダン６０５は形状記憶している。そして、図９（ｂ）に示すように、外部から力がかかっている眼鏡装着姿勢の状態のように第２のモダン６０５に変形歪を与えても、外部からの力がなくなる（眼鏡を外して人からの熱が与えられない状態となる）と超弾性効果により図９（ａ）に示す眼鏡非装着姿勢の形状に回復する。一方、この電子眼鏡６００を眼鏡装着者が装着すると、眼鏡装着者の熱で、図９（ｂ）に示すように電子眼鏡６００が眼鏡装着姿勢の状態となり、検出部３０８において、電極３０７ａ、３０７ｂが電極３０７ｂと導通することを検出し、これにより可変焦点レンズ３０１に電源３１８から電力が供給されて電源ＯＮになる。
【００６１】
以上のように、超弾力性を有する形状記憶合金を用いることで、実施の形態３のねじりコイルばね３１５を用いた場合と同様な効果が発生し、電子眼鏡６００の使用者（装着者）は電子眼鏡６００の電源の切り忘れが無くなり電力を無駄に消費することを無くすことができる。
【００６２】
また、本実施の形態では、第１のモダン３０４と第２のモダン６０５との接続部をテンプル３０３との境界付近としたが、これに限るものではなく、前記接続部を第１のモダン３０４のテンプル３０３と接する側とは逆の先端部付近に有していてもよい。
【産業上の利用可能性】
【００６３】
本発明にかかる電子眼鏡は、モダンの姿勢によって切り換えられる部分を電源スイッチとするだけでなく、復元機構を有しているため、使用者が電子眼鏡を掛けていないときは必ず電源がＯＦＦになり、これにより、電源の切り忘れを防止することができるという効果がある。したがって、上記のように可変焦点レンズを有する電子遠近両用眼鏡等に特に有用である。しかし、これに限るものではなく、頭部装着型製造表示装置の電源など、電源により切り換えられる装置などの各種の機能部を備えた電子眼鏡に対して適用できて有用である。
【符号の説明】
【００６４】
１００、３００、４００、５００、６００  電子眼鏡
１０１、３０１  可変焦点レンズ
１０２、３０２  フレーム
１０３、３０３  テンプル
１０５、３０４、３０５、６０５  モダン
１０６  中空部壁面
１０７ａ、１０７ｂ、３０７ａ、３０７ｂ  電極部
１０８、３０８  検出部
１０９ａ、１０９ｂ  凸部
１１０ａ、１１０ｂ、３１０  導通電極
１１０ｃ、１１０ｄ  ストッパー
１１１  引っ張りコイルばね
１１２  ガイド溝
１１３  凹部
１１８、３１８  電源
１１９  中空部
１２０  開口部
２１４ａ、２１４ｂ、５１４ａ、５１４ｂ  永久磁石
３１５  ねじりコイルばね
３１６  回転軸
【図１】
2010262121.tif 000003
【図２】
2010262121.tif 000004
【図３】
2010262121.tif 000005
【図４】
2010262121.tif 000006
【図５】
2010262121.tif 000007
【図６】
2010262121.tif 000008
【図７】
2010262121.tif 000009
【図８】
2010262121.tif 000010
【図９】
2010262121.tif 000011
【図１０】
2010262121.tif 000012